(57)【要約】  【課題】  出荷先に応じてそれぞれのメニュー画面で表記される処理項目の変更が可能であり、それぞれのメニュー画面で表記される処理項目の出荷後の変更が可能な電気機器を提供する。  【解決手段】  デジタルカメラ１は、複数の言語によって示される処理項目のそれぞれの項目名と、各処理名に対応する項目コードとを対応付ける項目テーブル11a をＲＯＭ11に予め記憶させており、メニュー画面のそれぞれに表記される処理項目をＥＥＰＲＯＭ14の日本出荷用メニュー画面情報14a に記憶させる。このＥＥＰＲＯＭ14に記憶されるメニュー画面情報14a は、製造工程において出荷先（輸出先）毎に異ならせることが可能であり、制御部10は、ユーザにより操作部13を操作された場合に、対応するメニュー画面情報をＥＥＰＲＯＭ14から読み出し、読み出したメニュー画面情報中の各項目コードに対応する処理項目をＲＯＭ11から読み出してメニュー画面を作成し、表示部19で表示させる。【選択図】      図１
2006004014.tif 000002
【特許請求の範囲】
【請求項１】
複数の処理項目を表記した複数のメニュー画像をそれぞれ表示する表示部を備える電気機器において、
複数の処理項目のそれぞれの項目名及び各項目名に対応するコードを記憶してある第１記憶手段と、
それぞれのメニュー画像毎に各メニュー画像で表記される項目名に対応するコードを記憶する第２記憶手段と、
該第２記憶手段に記憶されたコードに応じた項目名を前記第１記憶手段から読み出してメニュー画像を作成する作成手段と、
該作成手段が作成したメニュー画像を前記表示部に表示する表示制御手段と
を備えることを特徴とする電気機器。
【請求項２】
複数の処理項目を表記した複数のメニュー画像のそれぞれを、外部の表示装置に接続される接続部から出力する出力手段を備える電気機器において、
複数の処理項目のそれぞれの項目名及び各項目名に対応するコードを記憶してある第１記憶手段と、
それぞれのメニュー画像毎に各メニュー画像で表記される項目名に対応するコードを記憶する第２記憶手段と、
該第２記憶手段に記憶されたコードに応じた項目名を前記第１記憶手段から読み出してメニュー画像を作成する作成手段と
を備え、
前記出力手段は、前記作成手段が作成したメニュー画像を前記接続部から出力するように構成してあることを特徴とする電気機器。
【請求項３】
前記第２記憶手段は、各メニュー画像中の表記位置に対応して、各メニュー画像で表記される項目名に対応するコードを記憶する構成としてあり、
前記作成手段は、各メニュー画像中の表記位置に応じた箇所に対応するコードに応じた項目名を表記するメニュー画像を作成するように構成してあることを特徴とする請求項１又は２に記載の電気機器。
【請求項４】
各メニュー画像中の表記位置に対応して、各メニュー画像で表記される項目名に応じたコードを受け付ける受付手段を備え、
前記第２記憶手段は、前記受付手段が受け付けたコードを記憶する構成としてあることを特徴とする請求項３に記載の電気機器。
【請求項５】
各メニュー画像中の表記位置に対応して、全ての処理項目のうちのいずれかの処理項目の選択を受け付ける選択受付手段と、
前記第２記憶手段が各メニュー画像中の表記位置に対応して記憶するコードを、前記選択受付手段が受け付けた選択に基づいて変更する変更手段と
を備えることを特徴とする請求項３又は４に記載の電気機器。
【請求項６】
前記第１記憶手段は、それぞれの処理項目を複数の言語で表記するため、それぞれの言語毎に処理項目のそれぞれの項目名及び各項目名に対応するコードを記憶してある構成とすることを特徴とする請求項１乃至５のいずれかひとつに記載の電気機器。
【請求項７】
前記第２記憶手段は、書き換えが可能な記録媒体であることを特徴とする請求項１乃至６のいずれかひとつに記載の電気機器。
【発明の詳細な説明】
【技術分野】
【０００１】
本発明は、実行可能な処理の処理項目を表記したメニュー画像を自身の表示部又は外部の表示装置で表示することが可能な電気機器に関するものである。
【背景技術】
【０００２】
昨今の電気機器は多機能化が進行しているため、各機能の作動に応じた項目を表記したメニュー画像の中からユーザが所望する機能を選択できるようにしている機器が多い。例えば、デジタルカメラでは、日付設定及び画像サイズ設定等のメニュー項目を有するメニュー画像をモニタ部に表示し、十字キー等の操作により各項目を選択できるようにしている。また、モニタ部を有しないＤＶＤレコーダでは、テレビジョン装置のような表示装置を接続する画像出力端子からメニュー画像を出力し、表示装置にメニュー画像を表示させて所望のメニュー項目を選択可能にしている。
【０００３】
上述したようなメニュー画像は、各電気機器が内部に有するＲＯＭに予め記憶されており、工場における製造工程においてメニュー画像がＲＯＭに書き込まれる。よって、各電気機器がユーザの手元に渡り、ユーザがメニュー表示操作を行なうと、ＲＯＭからメニュー画像が読み出されてメニュー画像の表示処理が行なわれる。なお、各電気機器では複数種類のメニュー画像を表示することが通常であることから、ＲＯＭには複数のメニュー画像が記憶されることがほとんどであり、また、ＲＯＭにはメニュー画像以外にも制御用のプログラムも記憶される。
【特許文献１】特開平７−１２９３５０号公報
【発明の開示】
【発明が解決しようとする課題】
【０００４】
一方、新たな電気機器の製造を開始するような段階においては、急な仕様変更及び不具合の発生等が生じることが多い。このようなことは、ＲＯＭに書き込まれる内容に対しても生じ得るが、一旦、ＲＯＭに書き込む内容が決定された後では、書き込み内容の変更に対応することは困難であるという問題がある。
【０００５】
また、電気機器は海外へも輸出されることが多いので、輸出先に応じた言語で表記したメニュー画像を輸出先毎に準備すると共に、製造工程ではＲＯＭへの書き込み対象となるメニュー画像を輸出先毎に変更しなければならないという問題がある。更に、電気機器がユーザで使用されるようになった段階では、各ユーザによって多用する機能及び操作等が異なることから、画一的な表記内容のメニュー画像では、各ユーザに適した操作性を提供できないという問題がある。
【０００６】
本発明は斯かる事情に鑑みてなされたものであり、その目的とするところは、ＲＯＭに所定の内容が書き込まれた後でも変更が可能な電気機器を提供することにある。また、輸出先に関わらず、それぞれの処理項目に対応するコードを記憶してある記憶手段を共用することによって製造コストを削減することが可能な電気機器を提供することを他の目的とする。
【課題を解決するための手段】
【０００７】
本発明に係る電気機器は、複数の処理項目を表記した複数のメニュー画像をそれぞれ表示する表示部を備える電気機器において、複数の処理項目のそれぞれの項目名及び各項目名に対応するコードを記憶してある第１記憶手段と、それぞれのメニュー画像毎に各メニュー画像で表記される項目名に対応するコードを記憶する第２記憶手段と、該第２記憶手段に記憶されたコードに応じた項目名を前記第１記憶手段から読み出してメニュー画像を作成する作成手段と、該作成手段が作成したメニュー画像を前記表示部に表示する表示制御手段とを備えることを特徴とする。
【０００８】
本発明によれば、複数の処理項目を表記するメニュー画像を表示する電気機器が、処理項目のそれぞれの項目名及び各項目名に対応するコードを第１記憶手段に記憶しており、それぞれのメニュー画像毎に各メニュー画像で表記される項目名に対応するコードを第２記憶手段に記憶しておく。また、メニュー画像毎に第２記憶手段に記憶してあるコードに対応する項目名を前記第１記憶手段から読み出して、それぞれのメニュー画像を作成し、作成したメニュー画像を表示する。このように、それぞれの処理項目を示す項目名を第１記憶手段に記憶させておき、それぞれのメニュー画像に対応して第２記憶手段に記憶してあるコードに対応する項目名を第１記憶手段から読み出してメニュー画像を作成することにより、複数のメニュー画像で表記される処理項目については、対応するコードを第２記憶手段に記憶させておけば足り、それぞれのメニュー画像に対応する複数箇所に項目名を記憶させる必要がない。
【０００９】
本発明に係る電気機器は、複数の処理項目を表記した複数のメニュー画像のそれぞれを、外部の表示装置に接続される接続部から出力する出力手段を備える電気機器において、複数の処理項目のそれぞれの項目名及び各項目名に対応するコードを記憶してある第１記憶手段と、それぞれのメニュー画像毎に各メニュー画像で表記される項目名に対応するコードを記憶する第２記憶手段と、該第２記憶手段に記憶されたコードに応じた項目名を前記第１記憶手段から読み出してメニュー画像を作成する作成手段とを備え、前記出力手段は、前記作成手段が作成したメニュー画像を前記接続部から出力するように構成してあることを特徴とする。
【００１０】
本発明によれば、複数の処理項目を表記するメニュー画像を外部の表示装置に表示させる電気機器が、処理項目のそれぞれの項目名及び各項目名に対応するコードを第１記憶手段に記憶しており、それぞれのメニュー画像毎に各メニュー画像で表記される項目名に対応するコードを第２記憶手段に記憶しておく。また、メニュー画像毎に第２記憶手段に記憶してあるコードに対応する項目名を前記第１記憶手段から読み出して、それぞれのメニュー画像を作成し、作成したメニュー画像を前記表示装置に表示させる。このように、それぞれの処理項目を示す項目名を第１記憶手段に記憶させておき、それぞれのメニュー画像に対応して第２記憶手段に記憶してあるコードに対応する項目名を読み出してメニュー画像を作成することにより、複数のメニュー画像で表記される処理項目については、対応するコードを第２記憶手段に記憶させておけば足りる。
【００１１】
本発明に係る電気機器は、前記第２記憶手段は、各メニュー画像中の表記位置に対応して、各メニュー画像で表記される項目名に対応するコードを記憶する構成としてあり、前記作成手段は、各メニュー画像中の表記位置に応じた箇所に対応するコードに応じた項目名を表記するメニュー画像を作成するように構成してあることを特徴とする。
【００１２】
本発明による場合は、各メニュー画像中の表記位置に対応して、各メニュー画像で表記される項目名に応じたコードを記憶しておき、各メニュー画像中の表記位置に応じた箇所に対応するコードに応じた項目名を表記するメニュー画像を作成し、作成したメニュー画像を自身の表示部または外部の表示装置に表示させる。よって、各メニュー画像中における各処理項目の表記位置を設定しておくことが可能である。
【００１３】
本発明に係る電気機器は、各メニュー画像中の表記位置に対応して、各メニュー画像で表記される項目名に応じたコードを受け付ける受付手段を備え、前記第２記憶手段は、前記受付手段が受け付けたコードを記憶する構成としてあることを特徴とする。
【００１４】
本発明による場合は、各メニュー画像中の表記位置に対応して、各メニュー画像で表記される項目名に応じたコードを受け付けた場合に、受け付けたコードを第２記憶手段に記憶させることにより、第２記憶手段に記憶させる各コードを、例えば製造工程において変更することが可能である。
【００１５】
本発明に係る電気機器は、各メニュー画像中の表記位置に対応して、全ての処理項目のうちのいずれかの処理項目の選択を受け付ける選択受付手段と、前記第２記憶手段が各メニュー画像中の表記位置に対応して記憶するコードを、前記選択受付手段が受け付けた選択に基づいて変更する変更手段とを備えることを特徴とする。
【００１６】
本発明による場合は、各メニュー画像中の表記位置に対応して処理項目の選択を受け付け、受け付けた選択に基づいて、第２記憶手段が各メニュー画像中の表記位置に対応して記憶するコードを変更することにより、当該電気機器の製造後においても、各メニュー画像で表記される項目名を変更することが可能である。
【００１７】
本発明に係る電気機器は、前記第１記憶手段は、それぞれの処理項目を複数の言語で表記するため、それぞれの言語毎に処理項目のそれぞれの項目名及び各項目名に対応するコードを記憶してある構成とすることを特徴とする。
【００１８】
本発明による場合は、それぞれの処理項目を複数の言語で表記するため、それぞれの言語毎にそれぞれの処理項目の項目名及び各項目名に対応するコードを第１記憶手段に記憶させておくことにより、それぞれの処理項目に対応するコードを記憶する第１記憶手段を当該機器の出荷先に関わらず共用することが可能となる。
【００１９】
本発明に係る電気機器は、前記第２記憶手段は、書き換えが可能な記録媒体であることを特徴とする。
【００２０】
本発明による場合は、各メニュー画像で表記される処理項目に対応するコードをメニュー画像毎に記憶する第２記憶手段に、書き換えが可能な記録媒体を用いることにより、各メニュー画像で表記される処理項目及び各処理項目の表記位置を変更することが可能となる。
【発明の効果】
【００２１】
本発明では、自身の表示部または外部の表示装置でメニュー画像を表示できる電気機器が、それぞれの処理項目の項目名及び各項目名に対応するコードを予め第１記憶手段に記憶しておく。また、それぞれのメニュー画像毎に各メニュー画像で表記される項目名に対応するコードを第２記憶手段に記憶してあり、メニュー画像毎に記憶してあるコードに対応する処理項目を前記第１記憶手段から読み出し、それぞれのメニュー画像を作成する。よって、複数のメニュー画像で表記される処理項目の項目名は第１記憶手段にのみ記憶させておけば足り、それぞれのメニュー画像に対応する複数箇所に対応する処理項目を記憶させる必要がなく、メニュー画像のデータ容量を削減することができる。
【００２２】
本発明では、各メニュー画像中の表記位置に対応して、各メニュー画像で表記される項目名に応じたコードを記憶しておくことにより、各メニュー画像中における各処理項目の表記位置を設定しておくことができ、それぞれの表記位置に応じた箇所に対応する処理項目を表記させることができる。また、各メニュー画像中の表記位置に対応して各メニュー画像で表記される項目名に応じたコードを受け付けた場合に、受け付けたコードを記憶させることにより、例えば製造工程において、それぞれの表記位置に応じた箇所に対応する処理項目のコードを記憶させることができる。更に、各メニュー画像中の表記位置に対応して処理項目の選択を受け付けた場合に、受け付けた選択に基づいて、各メニュー画像中の表記位置に対応して記憶するコードを変更することにより、当該電気機器の製造後においても、各メニュー画像で表記される処理項目を変更することができる。
【００２３】
本発明では、それぞれの処理項目を複数の言語で表記するため、それぞれの言語毎にそれぞれの処理項目の項目名及び各項目名に対応するコードを第１記憶手段に記憶させておくことにより、それぞれの処理項目に対応するコードを記憶する第１記憶手段を当該機器の出荷先に関わらず共用することができ、製造コストを削減することができる。
【００２４】
本発明では、各メニュー画像で表記される処理項目に対応するコードをメニュー画像毎に記憶する第２記憶手段に、書き換えが可能な記録媒体を用いることにより、各メニュー画像で表記される処理項目及び各処理項目の表記位置を工場での製造中だけでなく、ユーザによる使用中においても変更することができる。
【発明を実施するための最良の形態】
【００２５】
以下に、本発明に係る電気機器を、その実施の形態であるデジタルカメラを示す図面に基づいて詳述する。図１は本発明に係る電気機器としてのデジタルカメラの構成例を示すブロック図である。図中１は本発明の電気機器としてのデジタルカメラを示しており、デジタルカメラ１は、制御部１０、読取専用のＲＯＭ１１、ＲＡＭ１２、ＥＥＰＲＯＭ（Electrically-Erasable and Programmable ROM）１４、Ａ／Ｄ変換器１６、信号処理部１７、記録媒体１８、表示部１９等を備えており、それぞれはシステムバス１ａを介して相互に接続されている。
【００２６】
制御部１０は、ＣＰＵ（Central Processing Unit ）又はＭＰＵ（Micro Processor Unit）等により構成されており、システムバス１ａを介して接続される上述したようなハードウェア各部を制御すると共に、ＲＯＭ１１に予め格納されている制御プログラムに従って種々の動作を実行する。ＲＯＭ１１は、デジタルカメラ１を本発明に係る電気機器として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００２７】
制御部１０は操作部１３と接続されている。操作部１３は、デジタルカメラ１をユーザが操作するために必要な各種の操作キーを備えており、ユーザにより操作キーが操作された場合、操作された操作キーに対応した制御信号を制御部１０へ送出し、制御部１０は取得した制御信号に対応した制御プログラムをＲＯＭ１１からＲＡＭ１２に読み出して順次実行する。
【００２８】
なお、デジタルカメラ１は、図示しないリモートコントロール装置と、赤外線を利用したＩｒＤＡ（Infrared Data Association）規格に従う無線通信が可能に構成されており、リモートコントロール装置からの赤外線を受光して所定の電気信号に変換し、得られた電気信号に対応する制御信号を検出して制御部１０へ送出することにより、制御部１０は取得した制御信号に対応した処理を実行する。デジタルカメラ１とリモートコントロール装置とは、赤外線を利用した無線通信だけでなく、例えば、ＩＥＥＥ８０２．１１ｂ規格に準拠した無線ＬＡＮ、及びBluetooth規格に従う無線通信等の無線通信が可能に構成することもできる。
【００２９】
Ａ／Ｄ変換器１６には撮像部１５が接続されている。撮像部１５は、ＣＣＤを介して入力された光信号を光電変換することによりアナログの画像信号を生成し、Ａ／Ｄ変換器１６へ入力する。Ａ／Ｄ変換器１６は、撮像部１５から入力されたアナログの画像信号を所定の増幅率で増幅する増幅器（図示せず）、増幅された画像信号を一定のタイミング毎にサンプリングする相関二重サンプリング機能（ＣＤＳ）等を内蔵しており、ＣＤＳによるサンプリング処理により得られた各値をデジタル信号に変換し、得られたデジタルの画像信号を信号処理部１７へ入力する。
【００３０】
信号処理部１７は、撮像部１５が撮像して得られた画像信号に対して例えば、ガンマ補正処理、フィルタリング処理、輪郭強調処理等の所定の信号処理を実行し、生成した画像信号を記録媒体１８又は表示部１９へ入力する。なお、信号処理部１７は、例えばＭＰＥＧ（Moving Picture Expert Group）方式に基づく圧縮処理及び伸張処理を行なうコーデックを有しており、制御部１０からの制御に従って必要に応じて、Ａ／Ｄ変換器１６から入力された画像信号に所定の圧縮処理を実行し、また、記録媒体１８から読み出された圧縮された画像信号に所定の伸張処理を実行する。
【００３１】
記録媒体１８は、磁気テープ、磁気ディスク、光ディスク及び半導体メモリ等により構成されており、制御部１０の指示により信号処理部１７から入力された画像信号を記録する。表示部１９は、複数の液晶素子を２次元マトリクス状に配列してなる液晶表示パネルにより構成されており、デジタルカメラ１の動作状況、ユーザに通知すべき情報、信号処理部１７により所定の信号処理が実行された画像信号、記録媒体１８に記録させてある画像信号等の表示を行なう。また、表示部１９をタッチパネル方式のものとすることにより、操作部１３の各種のキーのうちの一部又は全部を代用することも可能である。
【００３２】
上述した構成によって、デジタルカメラ１は、例えばユーザが操作部１３のシャッターボタン（図示せず）を操作することによる撮像部１５での静止画の撮像機能、例えばユーザが操作部１３の録画ボタン（図示せず）を操作してから録画停止ボタン（図示せず）を操作するまでの間における撮像部１５での動画の撮像機能を有する。また、デジタルカメラ１は、上述したように撮像して得られた画像信号（静止画、動画）を記録媒体１８に蓄積する蓄積機能、撮像して得られた画像信号または記録媒体２０に記録してある画像信号を表示部１９で表示する表示機能等を有する。
【００３３】
ここで、本実施の形態のデジタルカメラ１は、図２に示すような項目テーブル１１ａをＲＯＭ（第１記憶手段）１１に記憶している。項目テーブル１１ａは、図２に示すように、複数の言語によって示される処理項目のそれぞれの項目名と各項目名に対応する項目コード（コード）を対応させて記憶している。なお、項目テーブル１１ａには、デジタルカメラ１が実行可能な全ての処理項目の項目名が、各項目コードに対応して記憶されており、各項目名は、表示部１９で各処理項目を表示するための各言語におけるフォント情報又は画像情報である。
【００３４】
デジタルカメラ１において、制御部１０は、各メニュー画面で表記される項目名に応じたコードを受け付ける受付手段として動作しており、例えば、工場での製造工程において受け付けた各メニュー画面に応じたコードを書き換え可能なＥＥＰＲＯＭ（第２記憶手段）１４に記憶させる。デジタルカメラ１は、例えば図３に示すような日本出荷用メニュー画面情報１４ａをＥＥＰＲＯＭ１４に記憶しており、日本出荷用メニュー画面情報１４ａは、表示部１９に表示されるそれぞれのメニュー画面（第１メニュー画面、第２メニュー画面、第３メニュー画面…）毎に、それぞれの画面中の表記順序（表記位置）に項目コードを対応させている。
【００３５】
なお、図３に示すように、各項目コードが、項目テーブル１１ａ中で日本語に対応して規定されているコードである場合に、このメニュー画面情報１４ａを記録したＥＥＰＲＯＭ１４が搭載されたデジタルカメラ１は、日本出荷用となる。従って、例えば、項目コード「Ｅ０００１」「Ｅ０００２」…によるメニュー画面情報を記録したＥＥＰＲＯＭ１４を搭載するデジタルカメラ１は英語圏の国への出荷用となる。
【００３６】
このように、メニュー画面情報を出荷先の国毎に異ならせることにより、出荷先の国に応じて各メニュー画面で表記される処理項目の表記言語及び表記内容を変更することができる。また、図２に示すような複数の言語による項目テーブル１１ａをＲＯＭ１１に記憶させておくことにより、項目テーブル１１ａを書き込まれたＲＯＭ１１を出荷先の国に関わらず共用することができる。
【００３７】
また、上述の日本出荷用メニュー画面情報１４ａを書き換えが可能なＥＥＰＲＯＭ１４に記憶させておくことにより、工場でのＥＥＰＲＯＭ１４へのデータの書込み処理後においても、メニュー画面情報１４ａの内容を変更することができる。具体的には、制御部１０は、各メニュー画面で表記される処理項目の選択を受け付ける選択受付手段として動作しており、受け付けた選択に基づいて、ＥＥＰＲＯＭ１４に記憶してある日本出荷用メニュー画面情報１４ａを変更する変更手段として動作することができ、例えば、急な仕様変更に対応してメニュー画面情報１４ａの内容を書き換えることができる。
【００３８】
上述したような構成の項目テーブル１１ａ及び日本出荷用メニュー画面情報１４ａをそれぞれＲＯＭ１１及びＥＥＰＲＯＭ１４に記憶させたデジタルカメラ１において、ユーザが操作部１３の所定の操作キーを適宜操作した場合、制御部１０は、ＥＥＰＲＯＭ１４の日本出荷用メニュー画面情報１４ａから対応するメニュー画面情報をＲＡＭ１２に読み出し、読み出したメニュー画面情報が示すそれぞれの項目コードに対応する処理項目（フォント情報又は画像情報）をＲＯＭ１１の項目テーブル１１ａからＲＡＭ１２に読み出す。制御部１０は、ＲＡＭ１２に読み出した処理項目に基づいて対応するメニュー画面を作成する作成手段として動作し、作成したメニュー画面を表示部１９へ出力して表示部１９に表示させる表示制御手段として動作する。
【００３９】
具体的には、ユーザによる操作部１３の操作によって第１メニュー画面の表示指示を受け付けた場合、制御部１０は、ＥＥＰＲＯＭ１４の日本出荷用メニュー画面情報１４ａから対応する第１メニュー画面情報をＲＡＭ１２に読み出し、第１メニュー画面情報中の項目コードに対応する処理項目をＲＯＭ１１の項目テーブル１１ａからＲＡＭ１２に読み出す。また、読み出した処理項目に基づいて、図４（ａ）に示すように、項目コードが「０００１」である処理項目「画像サイズ設定」を１番目に、項目コードが「０００２」である処理項目「画質設定」を２番目に、項目コードが「０００３」である処理項目「フラッシュ設定」を３番目に、項目コードが「０００４」である処理項目「日付設定」を４番目に表記する第１メニュー画面を作成して表示部１９に表示させる。
【００４０】
また、制御部１０は、ユーザによる操作部１３の操作によって第２メニュー画面の表示指示を受け付けた場合、図４（ｂ）に示すように、項目コードが「０００５」である処理項目「言語設定」を１番目に、項目コードが「０００６」である処理項目「液晶調整」を２番目に、項目コードが「０００４」である処理項目「日付設定」を３番目に表記する第２メニュー画面を作成して表示部１９に表示させる。
【００４１】
ユーザは、上述したように表示部１９に表示させたメニュー画面で表記される処理項目から、実行させたい処理を選択することができる。例えば図４（ｂ）においては、液晶調整処理が選択されており、制御部１０は、表示部１９に表示させたメニュー画面で表記される処理項目から１つの選択を受け付け、選択された処理項目（液晶調整処理）に基づいて、ＲＯＭ１１から対応する制御プログラムをＲＡＭ１２に読み出して実行する。具体的には、制御部１０は、表示部１９の明るさ等を調整するための液晶調整画面を表示部１９に表示させる。従って、ユーザは、表示された液晶調整画面の指示に従って、表示部１９の各種の設定条件を変更することができる。
【００４２】
上述したように、本発明のデジタルカメラ１では、表示部１９に表示するメニュー画面で表記される各処理項目に対応する項目コードを規定した項目テーブル１１ａを読取専用のＲＯＭ１１に記憶しておき、それぞれのメニュー画面で表記される処理項目をメニュー画面情報１４ａとしてＥＥＰＲＯＭ１４に記憶しておくことにより、異なる複数のメニュー画面に表記される処理項目の項目名（フォント情報又は画像情報）を、それぞれのメニュー画面に対応して複数箇所に記憶させる必要がなく、メニュー画面情報１４ａのデータ容量を削減することができる。
【００４３】
また、デジタルカメラ１の出荷先の国に対応して、それぞれ異なるメニュー画面情報１４ａをＥＥＰＲＯＭ１４に記憶することにより、項目テーブル１１ａを全ての出荷先において共用することができると共に、出荷先の国に応じてそれぞれのメニュー画面で表記される処理項目を変更することができる。更に、ＥＥＰＲＯＭ１４に記憶されるメニュー画面情報１４ａは、工場での製造工程においてだけでなく、ユーザによる使用中においても変更することができる。例えば、ユーザの実行頻度の高い処理項目を一覧表示するメニュー画面（お好みメニュー）を作成した場合には、それぞれのユーザに適した操作性を提供することができ、ユーザによるキー操作を簡略化することができる。
【００４４】
上述した実施の形態では、デジタルカメラ１を例として説明したが、各種のメニュー画面を自身の装置の表示部に表示させる装置であればよく、また、ＤＶＤプレイヤ等のように外部の表示装置（テレビジョン装置）と接続できる接続部を有し、各種のメニュー画面を前記接続部から出力して、外部の表示装置で表示させることができる装置においても本発明を適用することができる。
【図面の簡単な説明】
【００４５】
【図１】本発明に係る電気機器としてのデジタルカメラの構成例を示すブロック図である。
【図２】項目テーブルの構成例を示す模式図である。
【図３】日本出荷用メニュー画面情報の構成例を示す模式図である。
【図４】デジタルカメラが表示するメニュー画面の構成例を示す模式図である。
【符号の説明】
【００４６】
１  デジタルカメラ（電気機器）
１０  制御部（作成手段、表示制御手段、受付手段、選択受付手段、変更手段）
１１  ＲＯＭ（第１記憶手段）
１４  ＥＥＰＲＯＭ（第２記憶手段）
１９  表示部
【図１】
2006004014.tif 000003
【図２】
2006004014.tif 000004
【図３】
2006004014.tif 000005
【図４】
2006004014.tif 000006